(57)【特許請求の範囲】
【請求項１】
コンピュータで行われる、不整合を処理するための方法であって、
複合材料層がある場所の前記不整合の形状を識別することと、
前記不整合の前記形状と補修のポリシとに基づいてセクションを形成するために除去された前記複合材料層にあるいくつかの層の一部を用いて前記場所のモデルを作成することと
を含み、
前記ポリシは少なくとも一つのパラメータを選択する規則を含み、前記パラメータはセクションの可変スカーフ比率のパラメータであって、スカーフ比率の変更によりセクションを形成する際の層の除去を少なくする、方法。
【請求項２】
前記セクションのスカーフィングはディスプレイにおいて可視化される、請求項１に記載の方法。
【請求項３】
前記不整合の前記場所に基づいて前記複合材料層にある前記いくつかの層のレイアップに関する情報を識別することと、
前記モデルを使用してテンプレートを形成することをさらに含み、前記テンプレートは、前記セクションを形成するために除去された前記複合材料層にある前記いくつかの層の前記一部を用いた前記場所の三次元モデル、前記セクションの二次元平面図、前記いくつかの層に関するレイアップ情報、前記セクションにおける結合用のパッチのモデル、および、前記セクションを形成するために除去された前記複合材料層にある前記いくつかの層の前記一部のモデルのうち、少なくとも１つを含む、請求項１に記載の方法。
【請求項４】
前記テンプレートを使用して前記不整合の前記補修を行うことをさらに含む、請求項３に記載の方法。
【請求項５】
前記形状は、前記不整合の寸法、前記不整合の奥行き、前記不整合のサイズ、および前記不整合の向きのうちの少なくとも１つを含む、請求項１に記載の方法。
【請求項６】
前記不整合の前記形状は第１の形状であり、前記セクションは、前記不整合の前記第１の形状および前記場所に関連付けられたいくつかの構造体のうちの少なくとも１つに基づく第２の形状を有する、請求項１に記載の方法。
【請求項７】
前記セクションにおける結合用のパッチを作成することをさらに含む、請求項１に記載の方法。
【請求項８】
前記不整合の前記形状と前記補修の前記ポリシとに基づいて前記セクションを形成するために除去された前記複合材料層にある前記いくつかの層の前記一部を用いて前記場所の前記モデルを作成する前記工程は、
前記不整合の前記形状と前記補修の前記ポリシとに基づいて前記セクションを形成するために除去された前記複合材料層にある前記いくつかの層の前記一部を用いて前記場所の三次元モデルを作成することを含む、請求項１に記載の方法。
【請求項９】
前記不整合の前記形状と前記補修の前記ポリシとに基づいて前記セクションを形成するために除去された前記複合材料層にある前記いくつかの層の前記一部を用いて前記場所の前記モデルを作成する前記工程は、
前記セクションの二次元平面図を作成することを含む、請求項１に記載の方法。
【請求項１０】
前記不整合の前記形状と前記補修の前記ポリシとに基づいて前記セクションを形成するために除去された前記複合材料層にある前記いくつかの層の前記一部を用いて前記場所の前記モデルを作成する前記工程は、
前記場所における前記複合材料層の三次元モデルを作成することと、
前記セクションを形成するために前記三次元モデルの前記複合材料層にある前記いくつかの層の前記一部を除去して、除去された前記複合材料層にある前記いくつかの層の前記一部を用いて前記場所の前記モデルを形成することと
を含む、請求項１に記載の方法。
【請求項１１】
複合材料層がある場所の不整合の形状を識別し、前記不整合の前記形状と補修のポリシとに基づいてセクションを形成するために除去された前記複合材料層にあるいくつかの層の一部を用いて前記場所のモデルを作成するように構成されたコンピュータシステムであって、
前記ポリシは少なくとも一つのパラメータを選択する規則を含み、前記パラメータはセクションの可変スカーフ比率のパラメータであって、スカーフ比率の変更によりセクションを形成する際の層の除去を少なくする、コンピュータシステム。
【請求項１２】
前記不整合の前記場所に基づいて前記複合材料層にある前記いくつかの層のレイアップに関する情報を識別するようにさらに構成される、請求項１１に記載のコンピュータシステム。
【請求項１３】
前記モデルを使用してテンプレートを形成するようにさらに構成され、前記テンプレートは、前記セクションを形成するために除去された前記複合材料層にある前記いくつかの層の前記一部を用いた前記場所の三次元モデル、前記セクションの二次元平面図、前記いくつかの層に関するレイアップ情報、前記セクションにおける結合用のパッチのモデル、および、前記セクションを形成するために除去された前記複合材料層にある前記いくつかの層の前記一部のモデルのうち、少なくとも１つを含む、請求項１２に記載のコンピュータシステム。
【請求項１４】
請求項１２に記載のコンピュータシステムを含み、
前記コンピュータシステム上で、前記不整合に関する情報を受信するように構成されるクライアントと、
前記複合材料層にある前記いくつかの層の前記レイアップに関する前記情報にアクセスし、モデルを処理するように構成されるコンピュータ支援設計システムと、
前記コンピュータシステム上で、前記不整合の寸法と前記不整合の前記場所とに基づいて前記複合材料層にある前記いくつかの層の前記レイアップに関する前記情報を識別することと、前記不整合の前記形状と前記補修の前記ポリシとに基づいて前記セクションを形成するために除去された前記複合材料層にある前記いくつかの層の前記一部を用いて前記場所の前記モデルを作成することとを行うように構成される補修ツールモジュールと
をさらに含む、システム。
【請求項１５】
コンピュータシステムに請求項１から１０のいずれか一項に記載の方法を実施させるためのプログラムコードを記録したコンピュータ可読記憶媒体。
【発明の詳細な説明】
【技術分野】
【０００１】
本開示は概して航空機に関し、特に、航空機の補修を行うための方法および装置に関する。さらにより詳細には、本開示は、テンプレートを生成して結合式補修のためのスカーフを形成するための方法および装置に関する。
【背景技術】
【０００２】
航空機の設計および製造には、複合材料の占める割合がますます大きくなってきている。航空機の中には、複合材料から作られた一次構造の割合が５０％を超えるものもある。航空機に複合材料を使用して、航空機の重量を減らすことができる。このようにして重量を減らすことによって、ペイロード容量および燃料効率を改善することができる。さらに、複合材料によって、航空機のさまざまなコンポーネントの耐用年数を延ばすことができる。
【０００３】
複合材料は、２つ以上の異種のコンポーネントを組み合わせることによって作成される頑丈かつ軽量な材料とすることができる。例えば、複合材料は繊維および樹脂を含むことができる。繊維および樹脂を組み合わせて硬化複合材料を形成することができる。
【０００４】
さらに、複合材料を使用することによって、航空機の一部をより大きい部品またはセクションとして作成することができる。例えば、航空機の胴体は、円柱状のセクションとして作成することができ、これらのセクションを合わせて航空機の胴体を形成することができる。他の例として、翼を形成するために接合される翼セクション、または安定板を形成するために接合される安定板セクションを挙げることができるが、これらに限定されない。
【０００５】
これらのコンポーネントを形成する際、複合材料層を重ね合わせ硬化させて、航空機の構造体を形成することができる。製造および／または使用中、航空機の種々の構造体には不整合が生じる場合がある。この不整合は望ましくない場合があり、および／または所望の航空機性能を下回る性能をもたらす場合がある。
【０００６】
例えば、複合構造体において不整合が生じる場合がある。この不整合には、例えば、層間剥離、複合材料層内もしくは層間の空隙、亀裂、構造体の変形、および／または、他のタイプの不整合を挙げることができるが、これらに限定されない。
【０００７】
航空機の複合構造体上で不整合が識別されると、その構造体を補修してその不整合を除去することができる。補修は、複合構造体のセクションにおける複合材料の一部を除去することと、新しい複合材料をそのセクションに取り入れることとを伴う場合がある。例えば、セクションにおいて除去された複合材料層に対応する複合材料のいくつかの層を、パッチとして使用することができる。このパッチをセクションに結合して補修を行うことができる。これらの操作は、航空機の結合式補修と呼ぶことができる。
【０００８】
不整合が位置する場所の複合材料層に関する情報を取得する。パッチ用の材料の層を識別するためにこの情報を取得する。このパッチを、構造体から除去される不整合を含有する複合材料層のセクションに代わって設置する。この情報を取得することは時間のかかることが多い。さらに、パッチが配置されるセクションを形成するために除去されるべき複合材料の一部分を識別することはまた、思ったより時間のかかる場合がある。
【０００９】
したがって、上述した問題の１つまたは複数、ならびに事により他の問題を考慮に入れる方法および装置を有することは有利となる。
【発明の概要】
【００１０】
一例示的実施形態では、不整合を処理するための方法が提供される。複合材料層がある場所で、不整合の形状を識別する。不整合の形状と補修のポリシとに基づいてセクションを形成するために除去された複合材料層にあるいくつかの層の一部を用いて、その場所のモデルを作成する。その方法は、セクションにおける結合用パッチを作成することをさらに含むことができる。そのパッチはモデルにおける仮想パッチとすることができる。不整合の形状と補修のポリシとに基づいてセクションを形成するために除去された複合材料層にあるいくつかの層の一部を用いて場所のモデルを作成する工程は、不整合の形状と補修のポリシとに基づいてセクションを形成するために除去された複合材料層にあるいくつかの層の一部を用いて、場所の三次元モデルを作成することを含むことができる。三次元モデルは、別個の物体としてその部分を含むことができる。
【００１１】
別の例示的実施形態では、装置はコンピュータシステムを含む。コンピュータシステムは、複合材料層がある場所の不整合の形状を識別することと、不整合の形状と補修のポリシとに基づいてセクションを形成するために除去された複合材料層にあるいくつかの層の一部を用いて場所のモデルを作成することとを行うように構成される。不整合の形状と補修のポリシとに基づいてセクションを形成するために除去された複合材料層にあるいくつかの層の一部を用いて場所のモデルを作成するように構成されている装置である、コンピュータシステムは、セクションの二次元平面図を作成するように構成可能である。さらに、不整合の形状と補修のポリシとに基づいてセクションを形成するために除去された複合材料層にあるいくつかの層の一部を用いて場所のモデルを作成するように構成されている場合、コンピュータシステムは、当該場所にある複合材料層の三次元モデルを作成することと、セクションを形成するために三次元モデルの複合材料層にあるいくつかの層の一部を除去して、除去された複合材料層にあるいくつかの層の一部を用いて場所のモデルを形成することとを行うように構成可能である。コンピュータシステムは、不整合の場所に基づいて複合材料層にあるいくつかの層のレイアップに関する情報を識別するようにさらに構成可能である。不整合の形状と補修のポリシとに基づいてセクションを形成するために除去された複合材料層にあるいくつかの層の一部を用いて場所のモデルを作成するように構成されている場合、コンピュータシステムは、不整合の形状と補修のポリシとに基づいてセクションを形成するために除去された複合材料層にあるいくつかの層の一部を用いて場所の三次元モデルを作成するように構成可能である。
【００１２】
さらに別の例示的実施形態では、コンピュータプログラム製品は、コンピュータ可読記憶媒体、第１のプログラムコードおよび第２のプログラムコードを含む。第１のプログラムコードは、複合材料層がある場所における不整合の形状を識別するためのものである。第２のプログラムコードは、不整合の形状と補修のポリシとに基づいてセクションを形成するために除去された複合材料層にあるいくつかの層の一部を用いて場所のモデルを作成するためのものである。第１のプログラムコードおよび第２のプログラムコードは、コンピュータ可読記憶媒体に記憶される。
【００１３】
特徴、機能および利点は、本発明の種々の実施形態において別々に実現可能であり、または、以下の説明および図面を参照することでさらなる詳細を理解することができるさらなる他の実施形態において組合せ可能である。
【００１４】
例示的実施形態の特徴と考えられる新規の機能は、添付の特許請求の範囲に明記される。しかしながら、例示的実施形態と、好ましい使用モードと、さらにはその目的と利点は、添付図面と併せて本発明の一例示的実施形態の以下の詳細な説明を読むことにより最もよく理解されるであろう。
【図面の簡単な説明】
【００１５】
【図１】例示的実施形態による、航空機製造および点検方法を示す図である。
【図２】例示的実施形態を実装することができる航空機を示す図である。
【図３】例示的実施形態による、補修環境を示す図である。
【図４】例示的実施形態による、補修ツールのコンポーネントを示す図である。
【図５】例示的実施形態による、翼用スキンパネルのセクションを示す図である。
【図６】例示的実施形態による、複合材料層に関するレイアップ情報を示す図である。
【図７】例示的実施形態による、スキンパネルのセクションの二次元平面図である。
【図８】例示的実施形態による、胴体外板の機尾セクションの１セクションを示す図である。
【図９】例示的実施形態による、複合材料層に関する情報を示す図である。
【図１０】例示的実施形態による、胴体外板のセクションの二次元平面図である。
【図１１】例示的実施形態による、胴体外板の中間部分のセクションを示す図である。
【図１２】例示的実施形態による、胴体の複合材料層に関するレイアップ情報のディスプレイを示す図である。
【図１３】例示的実施形態による、胴体外板のセクションの二次元平面図である。
【図１４】例示的実施形態による、不整合を処理するプロセスのフローチャートである。
【図１５】例示的実施形態による、不整合を除去されたセクションを用いて場所のモデルを作成するプロセスのフローチャートである。
【図１６】例示的実施形態による、テンプレートを作成するプロセスのフローチャートである。
【図１７】例示的実施形態による、データ処理システムを示す図である。
【発明を実施するための形態】
【００１６】
より詳細に図面を参照すると、図１に示す航空機製造および点検方法１００、および図２に示す航空機２００の文脈で、本開示の実施形態を説明することができる。まず図１を参照すると、例示的実施形態による、航空機製造および点検方法が例示されている。試作中、航空機製造および点検方法１００は、図２の航空機２００の仕様および設計１０２、ならびに材料調達１０４を含むことができる。
【００１７】
生産中、図２の航空機２００のコンポーネントおよび小組立品製造１０６ならびにシステム統合１０８が行われる。その後、図２の航空機２００は、稼働１１２させるために、認可および納品１１０が行われてよい。顧客による稼働１１２中、図２の航空機２００は定期保守および点検１１４が行われるようにスケジュールされるが、この定期保守および点検は、修正、再構成、改修および他の保守や点検を含むことができる。
【００１８】
航空機製造および点検方法１００のプロセスそれぞれは、システムインテグレータ、サードパーティおよび／もしくはオペレータによって行われ得るまたは実行され得る。これらの例では、オペレータは顧客であってよい。本説明を行う目的で、システムインテグレータには、任意の数の航空機製造業者および主要システム下請け業者が含まれ得るが、これらに限定されない。この場合、サードパーティは、任意の数の納入業者、下請け業者および仕入れ先を、限定しないが含むことができ、オペレータは、航空会社、リース会社、軍需企業、サービス組織などであってよい。
【００１９】
ここで図２を参照すると、例示的実施形態を実装することができる航空機が例示されている。この例では、航空機２００は、図１の航空機製造および点検方法１００によって生産され、複数のシステム２０４および内部２０６を有する機体２０２を含んでよい。システム２０４の例には、推進システム２０８、電気システム２１０、油圧システム２１２および環境システム２１４のうちの１つまたは複数が含まれる。任意の数のその他のシステムを含むことができる。航空宇宙産業の事例が示されるが、自動車産業などのその他の産業に、さまざまな例示的実施形態を適用することができる。
【００２０】
本明細書で具現化される装置および方法を、図１の航空機製造および点検方法１００の段階のうちの少なくとも１つの間に利用することができる。本明細書に使用される場合、列挙されたアイテムと共に使用する場合、「〜のうちの少なくとも１つ」という語句は、列挙されたアイテムのうちの１つまたは複数からなるさまざまな組合せが使用可能であり、かつ列挙された各アイテムが１つだけあればよいことを意味する。例えば、「アイテムＡ、アイテムＢおよびアイテムＣのうちの少なくとも１つ」は、例えば、限定しないが、「アイテムＡ」、または「アイテムＡとアイテムＢ」を含む。この例は、「アイテムＡとアイテムＢとアイテムＣ」、または「アイテムＢとアイテムＣ」も含む。
【００２１】
１つの例示的な例では、図１のコンポーネントおよび小組立品製造１０６において生産されたコンポーネントまたは小組立品は、航空機２００が図１の稼働１１２の間に生産されたコンポーネントまたは小組立品と同様の方法で製作または製造されてよい。さらに別の例として、いくつかの装置実施形態、方法実施形態またはこれらの組合せを、図１のコンポーネントおよび小組立品製造１０６およびシステム統合１０８といった生産段階中に利用することができる。アイテムに言及する場合の「いくつかの」は、１つまたは複数のアイテムを意味する。例えば、いくつかの装置実施形態は、１つまたは複数の装置実施形態である。いくつかの装置実施形態、方法実施形態またはこれらの組合せを、航空機２００が稼働１１２されている間に、ならびに／または図１の保守および点検１１４中に利用することができる。さまざまな例示的実施形態のいくつかを使用することにより、実質的に航空機２００の組み立てを促進する、および／または航空機２００のコストを低減することができる。
【００２２】
例えば、例示的実施形態のうちの１つまたは複数を、コンポーネントおよび小組立品製造１０６中に適用して複合構造体において見つかることのある不整合を補修することができる。さらに別の例として、例示的実施形態の１つまたは複数を、保守および点検１１４中に使用して、航空機２００の使用中に生じる場合のある不整合を補修することができる。
【００２３】
さまざまな例示的実施形態では、さまざまな考慮事項のいくつかが認識かつ考慮される。例えば、限定しないが、さまざまな例示的実施形態では、複合構造体における補修を行う際に、保守員が、セクションを形成するために除去すべき複合材料層にあるいくつかの層の一部の識別を必要とする場合があることが、認識かつ考慮される。このセクションはスカーフとも言う。
【００２４】
このセクションは、該当領域を平面図で見た場合にさまざまな層が露出されるような階段状断面を有する場合がある。露出された層は、セクション内の層にパッチを結合するための表面を提供することができる。
【００２５】
さまざまな例示的実施形態では、このセクションの形状は不整合を除去または低減するために補修されるべき不整合を包含することが、認識かつ考慮される。さまざまな例示的実施形態では、複合材料層の中で除去されるべき層およびセクションを形成するために除去されるべき各層の量に関する種々のポリシが存在し得ることも、認識かつ考慮される。
【００２６】
例えば、さまざまな例示的実施形態では、層の角度または比率が求められる場合があることが、認識かつ考慮される。例えば、セクションは約３０対１の比率を要する場合がある。この比率は、複合構造体へ１インチ深く入り込むごとに、その領域は約３０インチ広がることとすることを意味する。
【００２７】
さまざまな例示的実施形態では、不整合周りの種々の特徴またはその他の構造によりセクションに対する所望の比率を取得することを困難にする場合があることが、認識かつ考慮される。さらに、複合材料の厚さは、所望の比率の取得を困難にすることがある。
【００２８】
さまざまな例示的実施形態では、複合材料の構造および厚さにおけるこれらの変化および特徴が、保守員側ではさらなる調査および時間を要する場合があることが、認識かつ考慮される。さまざまな例示的実施形態では、複合材料のさまざまな層に関する情報を容易く見出せないことも、認識かつ考慮される。
【００２９】
例えば、航空機のコンピュータ支援設計モデルにおいて、層の識別を見出せる場合がある。層の組成と向き、および層に関するその他の情報を、異なるデータベースまたはレポジトリ内でも見出すことができる。複合材料をレイアップするコンピュータ数値制御型機械のレポジトリ内にこの情報を置くことが可能である。さまざまな例示的実施形態では、この情報を置くことは思ったより時間のかかる場合があることが、認識かつ考慮される。
【００３０】
したがって、さまざまな例示的実施形態では、不整合を処理するための方法および装置が提供される。一例示的実施形態では、複合材料層がある場所における不整合の形状が識別される。場所のモデルは、不整合の形状と補修のポリシとに基づいてセクションを形成するために除去された複合材料層にあるいくつかの層の一部を用いて作成される。
【００３１】
複合材料層のレイアップに関する情報を、不整合の形状と不整合の場所とに基づいて識別することができる。モデルおよびこの情報を使用して、不整合の補修を行うための情報を生成することができる。このタイプの情報をテンプレートと呼ぶことができる。
【００３２】
ここで図３を参照すると、例示的実施形態による補修環境が例示されている。補修環境３００は、プラットフォーム３０２上で補修を行うことが可能な環境の一例である。この例示的な例では、プラットフォーム３０２は航空機３０４の形を取ることができる。航空機３０４は図２の航空機２００の例であってよい。
【００３３】
この例示的な例では、航空機３０４の場所３０８において不整合３０６が位置する場合がある。不整合３０６が存在する場所３０８に複合材料層３１０が存在する。不整合３０６は複合材料層３１０の層において形状３１２を有する。
【００３４】
不整合３０６の補修３１６を行う際に、複合材料層３１０にあるいくつかの層３２０の部分３１８を除去する。いくつかの層３２０の部分３１８は不整合３０６を含むまたは実質的に含む。複合材料層３１０にあるいくつかの層３２０の部分３１８を除去することによって、不整合３０６を除去および／または低減することができる。このいくつかの層３２０の部分３１８の除去により、スカーフと呼ぶことができるセクション３１４が形成される。
【００３５】
パッチ３２４は、セクション３１４が形成された後、セクション３１４に入れられる。パッチ３２４は、補修３１６を行う一環としてセクション３１４に結合される。
【００３６】
パッチ３２４は、複合材料層３１０の層のいくつかの層３２０に対応する複合材料のいくつかの層３２６を有してよい。換言すれば、複合材料層３１０のうちのいくつかの層３２０内の層を、いくつかの層３２０内の層において同じタイプの層とすることができる。さらに、これらの例示的な例では、パッチ３２４における層の向きはいくつかの層３２０に対応する場合もある。
【００３７】
セクション３１４を形成するために除去されたいくつかの層３２０の向きは、さまざまな向きを有する場合がある。いくつかの層３２０内の各層は、１つまたは複数の特定の性質を取得するために選択される向きを有することができる。例えば、所望の強度、耐久性およびその他の適切な特徴などの性質を提供するために、向きを選択することができる。
【００３８】
いくつかの層３２０内の層の向きによって、さまざまな性質が存在する場合がある。補修３１６が行われるとき、多くは、パッチ３２４内のいくつかの層３２６が、セクション３１４を形成するために除去された部分３１８内のいくつかの層３２０と同じタイプの向きを有することが望ましい。このようにそれぞれの層の向きを合わせることにより、除去される層と同じ性質を取得する。
【００３９】
層が除去されるとき、依然残っている元来の層とパッチ３２４内にある層との間をいくらか重ね合わせることが望ましい。換言すると、パッチ３２４のいくつかの層３２６にある各層を、セクション３１４におけるいくつかの層３２０内の層と合わせる。さらに、いくつかの層３２６にある層を、セクション３１４におけるいくつかの層３２０にある元来の層と部分的に重ね合わせることができる。よって、これらの例示的な例において、それぞれの層は、除去された層と同じ向き、厚さおよび材料を有する。
【００４０】
パッチ３２４は、除去された部分３１８の形状３３０に実質的に対応する形状３２８を有する。換言すると、形状３２８は、実質的に形状３３０と同じ形状であってよい。よって、パッチ３２４の形状３２８は、セクション３１４を形成するために除去されたいくつかの層３２０と実質的に同じ形状３３０になるように選択される。
【００４１】
このように、パッチ３２４は、セクション３１４を形成するために除去された複合材料層３１０にあるいくつかの層３２０の部分３１８と取り替え可能である。パッチ３２４は不整合３０６の補修３１６を行うために所定の位置に結合されてよい。補修３１６により不整合３０６は低減または除去される。
【００４２】
これらの例示的な例では、いくつかの構造体３３２を場所３０８に関連付けることができる。いくつかの構造体３３２は、場所３０８を含む、場所３０８に隣接している、および／または、場所３０８からやや離れて位置することによって、場所３０８に関連付けられるように考慮される。その結果、いくつかの構造体３３２は、セクション３１４におけるパッチ３２４の結合に影響を及ぼす、および／またはその結合の影響を受ける。いくつかの構造体３３２は、セクション３１４の形成に影響を及ぼす場合がある。
【００４３】
これらの例示的な例では、場所３０８をオペレータ３３４によって識別することができる。場所３０８は、場所３０８を識別するために使用される座標、測定値および／またはその他の情報の形を取ることができる。オペレータ３３４は、例えば、保守員、技術者、パイロットまたは何らかの他の人であってよいが、これらに限定されない。オペレータ３３４は場所３０８をコンピュータシステム３３６に入力することができる。
【００４４】
これらの例示的な例では、コンピュータシステム３３６はいくつかのコンピュータ３３８の形を取る。いくつかのコンピュータ３３８に２つ以上のコンピュータが存在する場合、これらのコンピュータをネットワーク化するかその他の方法で、互いに通信可能とする。例示的な例では、コンピュータシステム３３６において補修ツール３４０を実行する。補修ツール３４０は、ハードウェア、ソフトウェアまたはこれら２つの組合せの形を取ることができる。
【００４５】
補修ツール３４０は、不整合３０６の場所３０８および形状３１２を使用して、複合材料層３１０の層のうちのいくつかの層３２０のレイアップ３４４に関する情報３４２を識別する。また、情報３４２はその他の情報も含むことができる。例えば、情報３４２は、いくつかの層３２０に加えて、複合材料層３１０にある他の層に関する情報を含むことができる。別の例示的な例として、情報３４２はいくつかの構造体３３２に関する情報を含むことができる。パッチ３２４を設計、選択および／または製造するために、情報３４２を使用することもできる。
【００４６】
情報３４２は、プラットフォームデータベース３４６を使用して識別されてよい。プラットフォームデータベース３４６は、例えば、航空機データベース３４８を含むことができるが、これに限定されない。航空機データベース３４８はモデル３５０を含む。モデル３５０は、図示された例の技術データ３５２を含む。モデル３５０は、例えば、航空機データベース３４８内の航空機３０４のコンピュータ支援設計および／または他のタイプのモデルであってよい。
【００４７】
これらの図示された例における技術データ３５２は、例えば、いくつかの構造体３３２とレイアップ３４４とに関する情報、および／またはその他適切なタイプの情報を含むが、これらに限定されない。別の例として、技術データ３５２は、パッチ３２４を生成するために使用されるプラットフォーム３０２に関する情報を含むことができる。
【００４８】
これらの例示的な例では、補修ツール３４０は、場所３０８のモデル３５４を作成する。補修ツール３４０は、モデル３５４における複合材料層３１０にあるいくつかの層３２０の部分３１８を除去してセクション３１４を形成する。モデル３５４は、不整合３０６の形状３１２およびポリシ３５６に基づいて生成される。
【００４９】
図示されるように、補修ツール３４０は形状３５８を識別し、特に、形状３５８の１つのパラメータは、不整合３０６の形状３１２およびポリシ３５６に基づく周囲３６０の構成である。セクション３１４の形状３５８は、モデル３５４におけるセクション３１４の平面図において周囲３６０を有する。補修ツール３４０は、セクション３１４の奥行きといった、形状３５８のその他のパラメータを選択することもできる。
【００５０】
補修ツール３４０は、形状３５８、特に周囲３６０を選択して、いくつかの構造体３３２とこれらがセクション３１４の形成に及ぼす影響とにも基づく形を有することができる。換言すれば、周囲３６０は、規則的または標準の形状ではなく、不規則な形状を有する場合がある。この不規則な形状を、アメーバ形状またはランダム形状と呼ぶことができる。
【００５１】
セクション３１４を形成するために除去されるいくつかの層３２０にある各層について周囲３６０の範囲を定めることもできる。これにより、補修ツール３４０は、除去されるべき各層の周囲３６０の形状を定めて、いくつかの層３２０にある別の層と異ならせることができる。この選択によって、層の角度または比率は、セクション３１４のために選択された周囲３６０で変化する場合がある。
【００５２】
このように、より効率的な形のパッチ３２４を作成することができる。よって、補修ツール３４０による形状３５８の選択により、コンポーネントと取り替えるのではなく補修３１６が行われることが可能になる。例えば、複合材料層から除去される材料が多すぎる場合、補修３１６を行わずに、コンポーネントを取り替えるべきである場合がある。不規則な形状では、除去される複合材料の量によって、コンポーネントの取り替えを行わずに補修３１６が可能になる。
【００５３】
例示的な例では、補修３１６が行われる領域において、不整合が飛び飛びの場所にあり、プライドロップがない場合、形状３５８の不規則な形状が存在する場合がある。しかしながら、不整合３０６の長さおよび奥行きは可変であってよい。さらに、さまざまな不整合がさまざまな奥行き、形状および／またはサイズを有する特定の領域内には、複数の不整合が存在する場合がある。これらのタイプの不整合によって、形状３５８は不規則な形状とされ得る。さらに、プライドロップが場所３８０において非対称である場合、形状３５８はまた、不規則な形状を有する場合がある。
【００５４】
さらに、補修ツール３４０は、場所３０８における複合材料層３１０内の層の始まりと終わりを識別することもできる。例えば、複合材料層３１０内のある層は、別の層と同じ高さにある場合がある。
【００５５】
また、不規則な形状では、複合材料層３１０における複合材料の多くが、除去されずに所定の場所に残される場合がある。このように、いくつかの層３２０の部分３１８を、円、トラックまたは他の何らかのタイプの形状といった、何らかの規則的な形状を使用する場合と比べてより小さくすることができる。
【００５６】
また、不規則な形状では、場所３０８に関連付けられたいくつかの構造体３３２を考慮に入れることができる。例えば、円などの形状では、その円がいくつかの構造体３３２の１つまたは複数を包含する場合を考慮に入れて、いくつかの構造体３３２をより堅固にする場合がある。不規則な形状では、必要に応じて、周囲３６０はいくつかの構造体３３２を排除することができる。
【００５７】
ポリシ３５６はいくつかの規則を含み、そのいくつかの規則を適用するために使用されるデータも含むことができる。ポリシ３５６はセクション３１４がどのように作成されるかを定める。ポリシ３５６は、パッチ３２４がどのように設計、選択および／または製造されるかも定めることができる。
【００５８】
例えば、ポリシ３５６はセクション３１４の形状３５８の規則を提供することができる。例えば、限定しないが、ポリシ３５６は、どれくらいの層がいくつかの層３２０内に存在するのか、および、複合材料層３１０から除去されるいくつかの層３２０にある各層のサイズを定めることができる。サイズとは、層から除去される層の領域のことである。
【００５９】
さらに、ポリシ３５６は、例えば、限定しないが、スカーフ比率、領域内の可変スカーフ比率および他の適切なタイプの規則といった、パラメータを選択する規則も含むことができる。例えば、３０：１のスカーフ比率は通常、補修３１６に使用される。しかしながら、このタイプの比率は、領域によっては実際的ではない場合がある。よって、スカーフ比率を、セクション３１４のある部分における３０：１から、セクション３１４の別の部分における２０：１に変更することができる。スカーフ比率のこの変更または変化を、可変スカーフ比率と呼ぶ。
【００６０】
スカーフ比率の変更により、セクション３１４を形成する際のいくつかの層３２０の除去量を少なくすることができる。これにより、セクション３１４のサイズを小さくすることができる。補修ツール３４０により、補修ツール３４０がないと可能でない場合があるような、こういった可変のスカーフィングと、セクション３１４におけるスカーフィングの良好な視覚化とを可能にすることができる。これらは、以下の図５〜１３に関して記載されたディスプレイにおいて閲覧可能とされる。
【００６１】
別の例として、ポリシ３５６は、いくつかの層３２０を除去する際に回避すべき領域を識別する規則を含むことができる。これらの領域は、いくつかの構造体３３２など、回避すべき構造体を含むことができる。これらのタイプの規則によって、セクション３１４の周囲３６０は、それらのタイプの領域を回避するときに不規則な形状を有することが可能である。さらに、ポリシ３５６は、コンポーネントを補修３１６せずに取り替えるべきである場合も定めることができる。
【００６２】
さらに、ポリシ３５６は、セクション３１４の断面の比率および／または角度を識別することができる。さらなる例として、ポリシ３５６は、場所３０８に関連付けられている場合のあるいくつかの構造体３３２に基づいて、セクション３１４の形状３５８の例外またはさまざまな構成も識別することができる。ポリシ３５６におけるこれらの規則およびその他の規則を、政府もしくは規制機関の規制、航空機３０４の製造業者による指針および／または他の何らかの適切なソースのうちの少なくとも１つから生成することができる。
【００６３】
補修ツール３４０はテンプレート３６２を生成する。テンプレート３６２は、モデル３５４を使用して補修ツール３４０によって生成される。補修ツール３４０は、テンプレート３６２を作成する際に他の情報を使用することもできる。例えば、いくつかの層３２０のレイアップ３４４に関する情報３４２を使用してテンプレート３６２を形成することができる。
【００６４】
テンプレート３６２は、不整合３０６の補修３１６の一部またはすべてを行うために、オペレータ３３４が使用する情報を含むデータ構造である。このデータ構造は、例えば、１つのファイル、いくつかのファイル、データベース、データベース内の記録、または他の何らかの適切なデータ構造であってよい。
【００６５】
これらの例示的な例では、不整合３０６の補修３１６を行うために、オペレータ３３４がテンプレート３６２をコンピュータシステム３３６上で閲覧することができる。特に、コンピュータシステム３３６内の表示デバイス３６６上でテンプレート３６２を表示することができる。
【００６６】
本質的には、不整合３０６の補修３１６のための操作を行うために、オペレータ３３４はテンプレート３６２を使用する。例えば、テンプレート３６２は、複合材料層３１０にあるいくつかの層３２０の部分３１８を除去するための情報を提供する。さらに、テンプレート３６２は、セクション３１４にパッチ３２４を形成および／またはパッチ３２４を取り入れて、場所３０８における不整合３０６の補修３１６を行うための情報を提供することもできる。
【００６７】
このように、オペレータ３３４は、さまざまな例示的実施形態の１つまたは複数を取り入れない現在の補修操作と比較してより短い時間で補修３１６を行うことができる。このように、不整合３０６に基づく航空機３０４の保守操作の時間と費用とを低減させることができる。
【００６８】
図３の補修環境３００の例示は、さまざまな例示的実施形態を実装可能な方法に対する物理的制限またはアーキテクチャ上の制限を暗示することを意図していない。図示されたコンポーネントに加えておよび／または代えて、他のコンポーネントを使用することができる。いくつかのコンポーネントは不要である場合がある。また、ブロックは、いくつかの機能的なコンポーネントを例示するために提示されている。例示的実施形態において実装されるとき、これらのブロックの１つまたは複数は、さまざまなブロックに合成および／または分割することができる。
【００６９】
例えば、さまざま例示的実施形態では、不整合３０６に加えてさらなる不整合が、場所３０８または他の場所に存在する場合がある。これらの不整合を不整合３０６と同じ方法で処理することが可能である。さらに別の例示的な例では、オペレータ３３４に加えて他のオペレータが存在する場合がある。例えば、オペレータ３３４が不整合３０６の位置を定める一方で、別のオペレータがコンピュータシステム３３６に情報を入力することができる。さらに他の例では、テンプレート３６２が生成されると、別のオペレータが補修３１６を行うことができる。さらに別の例示的な例では、オペレータ３３４はテンプレート３６２の代わりにモデル３５４を使用することができる。
【００７０】
ここで図４を参照すると、例示的実施形態による、補修ツールのコンポーネントが例示されている。この図示された例では、補修ツール３４０のコンポーネントが図示される。
【００７１】
この例示的な例では、補修ツール３４０は、クライアント４００、ウェブサーバ４０２、テンプレートモジュール４０４および設計システム４０６を含む。これらコンポーネントのすべてを、図３のコンピュータシステム３３６内の１つまたは複数のコンピュータ上で実行することができる。
【００７２】
この例示的な例では、クライアント４００は、グラフィカルユーザインターフェイス４１０を使用してユーザ入力４０８を受信する補修ツール３４０の一部である。クライアント４００は、ブラウザアプリケーションまたは他の何らかの適切なアプリケーションであってよい。
【００７３】
これらの図示した例において、ユーザ入力４０８は、グラフィカルユーザインターフェイス４１０を使用して図３のオペレータ３３４によって入力される。いくつかの例では、ユーザ入力４０８がアプリケーション、コンピュータまたはその他のデバイスによって送信される場合、グラフィカルユーザインターフェイス４１０を使用せずに、ユーザ入力４０８をクライアント４００に送信することができる。
【００７４】
ユーザ入力４０８は、図３の補修３１６を行うために、セクション３１４の範囲を定めるために使用される情報を含む。また、その情報は、図３のパッチ３２４を設計、選択および／または製造するために必要な情報を含むことができる。情報は、例えば、不整合３０６の場所３０８および形状３１２であってよい。さらに、ユーザ入力４０８は、航空機３０４の識別およびその他適切な情報を含むことが可能である。このユーザ入力は、テキスト、値、画像および他のタイプの入力の形を取ることができる。
【００７５】
この例では、クライアント４００はウェブベースのクライアントの形を取ることができる。例えば、クライアント４００は、形式およびページを有するウェブページが図３のコンピュータシステム３３６内の表示デバイス３６６上に表示されるブラウザを使用して、実装され得る。グラフィカルユーザインターフェイス４１０は、ユーザ入力４０８を受信して、情報をユーザに対して表示する。
【００７６】
ユーザ入力４０８は、補修入力４１２を形成するためにクライアント４００によって、フォーマット化、処理、確認、および／またはその他の方法で処理されてよい。クライアント４００は補修入力４１２をウェブサーバ４０２に送信する。
【００７７】
ウェブサーバ４０２は、クライアント４００といったクライアントから補修入力４１２を受信する、コンピュータシステム３３６における処理である。さらに、ウェブサーバ４０２は、コンピュータシステム３３６内の他のクライアントまたは同じクライアントから補修入力４１２を受信することができる。補修入力４１２はキュー４１４に置かれる。さらに、ウェブサーバ４０２は、メッセージ４４４のステータスキュー４１６を監視することもできる。そして、ステータスキュー４１６内のメッセージ４４４のいずれも、グラフィカルユーザインターフェイス４１０において表示するためにクライアント４００に送信することができる。
【００７８】
これらの例示的な例では、テンプレートモジュール４０４はキュー４１４で補修入力４１２を監視する。補修入力４１２がキュー４１４で見つかると、補修入力４１２はテンプレートモジュール４０４によって処理されて、テンプレート３６２を生成する。
【００７９】
これらの例示的な例では、テンプレートモジュール４０４は、モデル４２２にアクセスするための要求４２０を設計システム４０６に送信する。モデル４２２は補修入力４１２が生成されるプラットフォームのモデルである。要求４２０が複数あっても、要求４２０を単一要求と呼ぶこともできる。設計システム４０６は、例えば、コンピュータ支援設計アプリケーションであってよいが、これに限定されない。例えば、設計システム４０６は、ダッソーシステムズ社から入手可能なＣａｔｉａであってよい。もちろん、入手可能な何らかの設計アプリケーションまたはソフトウェアを使用して、設計システム４０６を実装することが可能である。
【００８０】
テンプレートモジュール４０４は、モデル４２２をロードするための要求４２０を設計システム４０６に送信する。モデル４２２がロードされた後、テンプレートモジュール４０４は、設計システム４０６にレイアップ情報４２４を識別するための要求４２０を送信する。レイアップ情報４２４は応答４２６としてテンプレートモジュール４０４に返される。レイアップ情報４２４は、図３のセクション３１４を形成するために除去された部分３１８にあるいくつかの層３２０のレイアップ３４４に関する情報である。
【００８１】
さらに、テンプレートモジュール４０４は、モデル３５４を生成するための要求４２０を設計システム４０６に送信することができる。モデル３５４は、不整合３０６が位置する、図３の複合材料層３１０のモデルである。
【００８２】
テンプレートモジュール４０４は、設計システム４０６に、複合材料層３１０にあるいくつかの層３２０の部分３１８をモデル３５４から除去するための要求４２０を送信する。それに応じて、設計システム４０６はモデル３５４を修正する。部分３１８およびいくつかの層３２０は、場所３０８内およびポリシ３５６の使用範囲内で、不整合３０６の形状３１２と不整合３０６の場所とに基づいて識別される。さらに、こういった部分３１８の除去は、場所３０８に関連付けられたいくつかの構造体３３２も考慮に入れることができる。
【００８３】
テンプレートモジュール４０４はその後、モデル３５４からテンプレート３６２を作成するための要求４２０を設計システム４０６に送信することができる。この例示的な例では、テンプレート３６２はモデル３５４の形であってよい。例えば、限定しないが、テンプレート３６２は、三次元モデル４３２、二次元平面図４３４、被除去部分モデル４３６、レイアップ情報４３８、パッチモデル４４０および／または他の適切なモデルもしくは情報のうちの少なくとも１つを含むことができる。
【００８４】
三次元モデル４３２は、セクション３１４を形成するために除去されるいくつかの層３２０の部分３１８と複合材料層３１０とがある場所３０８のモデルである。換言すると、三次元モデル４３２は形成されるスカーフのモデルである。これらの例では、二次元平面図４３４はセクション３１４の平面図を提供する。
【００８５】
このように、層のレイアップおよび向きを見ることができる。場合によっては、層の向きは二次元平面図４３４を示すこともできる。
【００８６】
被除去部分モデル４３６は、セクション３１４を形成するために除去される複合材料層３１０にあるいくつかの層３２０を使用して形成されたモデルである。換言すると、被除去部分モデル４３６は部分３１８を示す。このモデルはまた、三次元モデルであってよい。レイアップ情報４３８は、さまざまな層に関する情報を提供することができる。
【００８７】
パッチモデル４４０は補修を行う際に使用するためのパッチのモデルを含むことができる。これらの例示的な例において、パッチモデル４４０は、セクション３１４に取り入れられるパッチ３２４のモデルであってよい。パッチモデル４４０は、パッチ３２４といった、実際のパッチを構築するために使用され得る仮想パッチ４４２を例示している。
【００８８】
その後、テンプレート３６２が完成すると、図示された例では、テンプレートモジュール４０４はテンプレート３６２をレポジトリ４４６に記憶する。レポジトリ４４６は、１つもしくは複数の記憶デバイスが存在する１つまたは複数の記憶システムである。レポジトリ４４６は、クライアント４００によるアクセスのためにテンプレート３６２を記憶することが可能なデータベースまたは他の何らかのレポジトリであってよい。
【００８９】
テンプレートモジュール４０４は、その後、メッセージ４４４をステータスキュー４１６に入れる。メッセージ４４４はテンプレート３６２が完成したことを示す。
【００９０】
ウェブサーバ４０２はステータスキュー４１６を監視する。メッセージ４４４がステータスキュー４１６で検出されると、ウェブサーバ４０２はメッセージ４４４をクライアント４００に送信する。メッセージ４４４はテンプレート３６２の準備ができたことを示す。メッセージ４４４は、例えば、テンプレート３６２の場所を指し示すユニバーサルリソースロケータを含むことができる。ユーザはその後、グラフィカルユーザインターフェイス４１０上に表示するためにテンプレート３６２を検索することができる。これらの例では、この検索はレポジトリ４４６から直接行ってよい。
【００９１】
図４の補修ツール３４０に対して例示されたさまざまなコンポーネントは、図３のコンポーネントと組み合わせられる、図３のコンポーネントと共に使用される、またはそれら２つの組合せであってよい。さらに、本図のコンポーネントのいくつかは、図３のブロック形式で示されるコンポーネントがどれくらい実装され得るかを示す例示的な例であってよい。
【００９２】
図４の補修ツール３４０のコンポーネントの例示は、例示的実施形態を実装可能な方法に対するアーキテクチャ上の制限を暗示することを意図していない。図示されたコンポーネントに加えておよび／または代えて、他のコンポーネントを使用することができる。いくつかのコンポーネントは不要である場合がある。また、ブロックは、いくつかの機能的なコンポーネントを例示するために提示されている。例示的実施形態において実装されるとき、これらのブロックの１つまたは複数は、さまざまなブロックに合成および／または分割することができる。
【００９３】
例えば、いくつかの例示的な例では、クライアント４００、ウェブサーバ４０２およびテンプレートモジュール４０４に対して例示したさまざまなプロセスは、２つ以上のコンピュータ上で実装可能である。さらに他の例示的な例では、設計システム４０６によって行われるさまざまな操作を、テンプレートモジュール４０４が代わりに直接行うことができる。もちろん、他のコンポーネントの組合せまたは操作の分割を、例示的実施形態に対して実装することが可能である。さらに他の例示的な例では、テンプレートモジュール４０４によって行われるさまざまな操作を、設計システム４０６の一部として統合することができる。
【００９４】
図示された例では、クライアント４００のみが示される。他の例では、１つまたは複数の追加のクライアントが使用可能であり、ウェブサーバ４０２に補修入力を送信することができる。別の例示的な例として、三次元モデル４３２、被除去部分モデル４３６およびパッチモデル４４０すべては、３つの異なるモデルでなく、単一モデルであってよい。
【００９５】
図５〜１３は、グラフィカルユーザインターフェイス４１０のディスプレイを例示したものである。これらのディスプレイは、図４のクライアント４００においてグラフィカルユーザインターフェイス４１０によって表示され得るテンプレート３６２からの情報の例である。さまざまなディスプレイは、図３の補修３１６を行うために使用することができる情報を示す。
【００９６】
図５を参照すると、例示的実施形態による、翼用スキンパネルのセクションが例示されている。この例示的な例では、ディスプレイ５００はクライアント４００のグラフィカルユーザインターフェイス４１０におけるディスプレイの一例である。
【００９７】
図示されるように、スキンパネル５０２は、航空機上の翼と共に使用され、ディスプレイ５００に示される。この例示的な例では、セクション５０４を、スキンパネル５０２の表面５０６上で見ることができる。この例では、スキンパネル５０２はディスプレイ５００においてユーザによって操作され得る。例えば、ユーザは、ディスプレイ５００内で、スキンパネル５０２を回転させる、スキンパネル５０２を拡大する、および／または、スキンパネル５０２のその他の操作を行うことができる。換言すると、スキンパネル５０２は三次元物体として表示され、かつ操作可能である。
【００９８】
図６を参照すると、例示的実施形態による、複合材料層に関するレイアップ情報が例示されている。この例示的な例では、ディスプレイ６００は、図４のクライアント４００のグラフィカルユーザインターフェイス４１０によって生成可能なディスプレイの一例である。
【００９９】
図示されるように、ディスプレイ６００はテーブル６０２を含む。テーブル６０２は図４のレイアップ情報４２４の一例である。
【０１００】
テーブル６０２内のコラム６０４は、層の名前を識別する。コラム６０６は層の材料を識別する。コラム６０８は厚さを識別し、コラム６１０は層の材料の向きを識別し、コラム６１２は層のシーケンスを識別する。コラム６１４はロゼット名を提供する。ロゼット名は層の軸システムの識別である。
【０１０１】
図７を参照すると、例示的実施形態による、スキンパネルのセクションの二次元平面図が示されている。この例示的な例では、ディスプレイ７００は、クライアント４００のグラフィカルユーザインターフェイス４１０におけるディスプレイの別の例である。この例示的な例では、セクション７０２は、図５のセクション５０４の二次元視である。セクション７０２は、図５のスキンパネル５０２の表面５０６の平面図である。この例示的な例では、セクション７０２は円形である。
【０１０２】
図示した例では、図５〜７の情報は、互いにリンクさせることが可能である。例えば、図６のディスプレイ６００内のテーブル６０２のエントリの選択によって、グラフィカルユーザインターフェイス４１０は、テーブル６０２の選択されたエントリに対応するセクション７０２内の層が指示されるディスプレイ７００を示すことができる。別の例として、セクション７０２内の層の選択によって、グラフィカルユーザインターフェイス４１０は、ディスプレイ６００を示し、選択された層に対応するエントリを指示することができる。
【０１０３】
いくつかの異なる方法で指示を行うことができる。例えば、テーブル６０２におけるエントリに関連付けられたグラフィカルインジケータによって指示を行うことができる。グラフィカルインジケータは、エントリの強調表示、テキストの太字表示、アニメーション、色および／または他の適切なタイプのグラフィカルインジケータのうちの少なくとも１つであってよい。
【０１０４】
別の例示的な例として、セクション７０２内の層の選択により、ウィンドまたは他の何らかのグラフィカルユーザインターフェイス要素は、選択された層に対応するテーブル６０２におけるエントリについての情報のディスプレイ７００を示すことができる。いくらかの選択された期間の間、層上でポインタを動かす、または層上でポインタを置いたままにする場合も、このウィンドまたはグラフィカルユーザインターフェイス要素を示すことができる。
【０１０５】
さまざまなディスプレイとして、図５、６および７の情報を例示したが、連続させることができる単一表示でこの情報を提示することができる。例えば、単一のウェブページまたはドキュメントとして情報を表示することができる。
【０１０６】
ここで図８を参照すると、例示的実施形態による、胴体外板の機尾セクションの１セクションが例示されている。この例示的な例では、ディスプレイ８００は、図４のクライアント４００のグラフィカルユーザインターフェイス４１０におけるディスプレイの一例である。
【０１０７】
この例示的な例では、胴体外板８０２が表示されている。この例示的な例では、セクション８０４を胴体外板８０２の表面８０６上で見ることができる。胴体外板８０２およびディスプレイ８００はまた、図５のスキンパネル５０２と同様の方法でユーザによって操作可能である。
【０１０８】
ここで図９を参照すると、例示的実施形態による、複合材料層に関する情報が図示されている。この例示的な例では、ディスプレイ９００は図４のグラフィカルユーザインターフェイス４１０におけるディスプレイの一例である。
【０１０９】
この例示的な例では、ディスプレイ９００はテーブル９０２を含む。テーブル９０２は、図４のレイアップ情報４２４の一例である。テーブル９０２は図８の胴体外板８０２のセクション８０４の層を識別する。
【０１１０】
この例示的な例では、コラム９０４は、セクション８０４のいくつかの層における層の名前である。コラム９０６は層の材料を識別する。コラム９０８は層の厚さを識別し、コラム９１０はコラムに対して向きを識別し、コラム９１２は層のシーケンスを識別する。コラム９１４は層のロゼット名である。
【０１１１】
図１０において、例示的実施形態による、胴体外板の１セクションの二次元平面図が示されている。この例示的な例では、ディスプレイ１０００は、図４のグラフィカルユーザインターフェイス４１０のディスプレイの一例である。この例では、セクション１００２は図８のセクション８０４の二次元平面図である。この例では、セクション１００２を、図８の胴体外板８０２の表面８０６の平面図として見られる。セクション１００２は、胴体外板８０２に位置することが可能な構造を考慮することができる。この例示的な例に見られるように、セクション１００２は不規則な形状１００４を有する。こういった状況により、セクション１００２は不規則な形状を有することになる。さらに、不規則な形状１００４は補修されるべき不整合の形状として考慮され得る。
【０１１２】
ここで図１１を参照すると、例示的実施形態による、胴体外板の中間部分の１セクションが例示されている。この例示的な例では、ディスプレイ１１００は、図４のクライアント４００のグラフィカルユーザインターフェイス４１０におけるディスプレイの一例である。この例示的な例では、胴体外板１１０２はディスプレイ１１００において表示される。この例示的な例では、セクション１１０４は胴体外板１１０２の表面１１０６上に見られる。同様に、胴体外板１１０２も、図５のスキンパネル５０２および図８の胴体外板８０２と同様の方法で、ユーザによって操作可能である。
【０１１３】
ここで図１２を参照すると、例示的実施形態による、胴体の複合材料層に関するレイアップ情報のディスプレイが例示されている。この例示的な例では、ディスプレイ１２００は、図４のクライアント４００のグラフィカルユーザインターフェイス４１０におけるディスプレイの一例である。
【０１１４】
この例では、テーブル１２０２はディスプレイ１２００内に存在する。テーブル１２０２は図４のレイアップ情報４２４の一例である。コラム１２０４は層の名前を識別し、コラム１２０６は層の材料を識別する。コラム１２０８は層の厚さを識別し、コラム１２１０は層の向きを識別し、コラム１２１２は層のシーケンスを識別する。コラム１２１４はエントリそれぞれのロゼット名を含む。
【０１１５】
ここで図１３を参照すると、例示的実施形態による、胴体外板の１セクションの二次元平面図が例示されている。この例示的な例では、ディスプレイ１３００は図４のクライアント４００のグラフィカルユーザインターフェイス４１０におけるディスプレイの一例である。セクション１３０２はディスプレイ１３００で見られる。セクション１３０２は、図１１の胴体外板１１０２の表面１１０６上のセクション１１０４の二次元平面図である。セクション１３０２も不規則な形状を有する。
【０１１６】
例示的実施形態の例示の目的で、三次元モデル、複合材料層のレイアップ情報および二次元平面図の例示が提示されており、これらの例示は、テンプレートからの情報がユーザに表示可能であるという方法に対する制限を暗示することを意図しない。さらに他の例示的な例では、これらの例示的な例における情報に加えておよび／または代えて、他の情報を表示することができる。例えば、パッチのモデルを表示することができる。さらに他の例示的な例では、セクションを形成するために除去された材料も示すことができる。
【０１１７】
別の例として、いくつかの例示的実施形態では、上記例において例示された三次元視、二次元視およびテーブルに加えて、断面側面図もディスプレイに含むことができる。これらの断面側面図は、セクションとセクション内に配置され得るパッチとに関する追加情報を含むことができる。例えば、図６のテーブル６０２、図９のテーブル９０２および図１２のテーブル１２０２に例示された層に対応する層を提供する断面側面図を含むことが可能である。これらの断面図は、二次元平面図におけるさまざまな断面に対応することができる。セクションそれぞれの周囲の形状によって、２つ以上の断面図があり得る。
【０１１８】
図５〜１３におけるさまざまな例が翼におけるスキンパネルおよび胴体外板のさまざまな部位に関する情報を例示するが、これらのさまざまな例示的実施形態を他の構造体に適用することができる。これらの構造体は、例えば、胴体のフレーム、バルクヘッドおよび／または航空機のその他の構造体を含むことができる。
【０１１９】
ここで図１４を参照すると、例示的実施形態による、不整合を処理するプロセスのフローチャートが例示されている。このプロセスはコンピュータシステム３３６において実装可能であり、特に、図３の補修ツール３４０によって当該プロセスを行うことができる。
【０１２０】
プラットフォームにおいて不整合の場所を識別する（操作１４００）ことによってプロセスを開始する。これらの例示的な例において、操作１４００における識別を、図４のグラフィカルユーザインターフェイス４１０のユーザ入力４０８を受信することによって行うことができる。プロセスではその後、複合材料層がある場所における不整合の形状を識別する（操作１４０２）。これらの例示的な例では、グラフィカルユーザインターフェイス４１０に入力されたユーザ入力４０８によって形状も識別可能である。
【０１２１】
プロセスではその後、不整合の形状と不整合の場所とに基づいて、複合材料層のレイアップに関する情報を識別する（操作１４０４）。操作１４０４では、プラットフォームのＣＡＤボトル（ｃａｄ  ｂｏｔｔｌｅ）、プラットフォームを製造するために使用されるレイアップ情報のデータベース、および／または他の適切なタイプの情報からこの情報は取得可能である。この情報はさまざまな場所にあってよい。補修ツール３４０はこの情報を受信またはこの情報にアクセスするための要求を送信することができる。
【０１２２】
プロセスではその後、不整合の形状と補修のポリシとに基づいてセクションを形成するために除去された複合材料層にあるいくつかの層の一部を用いて場所のモデルを作成する（操作１４０６）。例示的な例では、このポリシは、例えば、図３のポリシ３５６であってよい。
【０１２３】
さらに、モデルを作成する際に、ポリシ３５６は、場所に関連付けられている場合がある構造体を考慮することができる。これらの構造体のいくつかは、いくつかの層にある層の一部に対して領域の範囲を定める周囲の形状または構成に影響を及ぼす場合がある。さらに、セクションを形成するために除去される各層の周囲および領域の構成はまた、特定の不整合の形状に対してカスタマイズ可能である。
【０１２４】
プロセスにおいて、場所のモデルと複合材料層のレイアップに関する情報とを使用して、テンプレートを作成する（操作１４０８）。操作１４０８において作成されたテンプレートは、図５〜１３のディスプレイなどのディスプレイにおいて、ユーザに表示可能である。その後プロセスは終了する。
【０１２５】
場所のモデルを作成する際に、不整合の形状に基づいてセクションを形成することに加えて、補修ツール３４０は、モデルにおいて、セクションに結合させるためのパッチを含ませることもできる。また、セクションを形成するために除去されたいくつかの層の一部も、モデルに含むことができる。いくつかの例示的な例では、除去された複合材料のいくつかの層の一部においてパッチを含むのではなく、特定の実装形態によっては、これらの構造体は別個のモデルに配置可能である。
【０１２６】
ここで図１５を参照すると、例示的実施形態による、不整合のために除去されたセクションを用いて場所のモデルを作成するプロセスのフローチャートが例示されている。図１５に例示されたプロセスは、図１４の操作１４０６を実装することができる１つの方法の一例である。
【０１２７】
これらの例示的な例では、図１５のさまざまな操作を、コンピュータ支援設計システムといった、図３の補修ツール３４０によって、または、別のアプリケーションに要求を送信する補修ツール３４０によって直接行うことができる。
【０１２８】
プラットフォームのモデルを取得する（操作１５００）ことによってプロセスを開始する。プロセスではその後、プラットフォームのモデルを使用して場所のモデルを作成する（操作１５０２）。場所のモデルはプラットフォームのモデルのセクションを選択することによって作成可能である。このセクションは、これらの例示的な例では三次元セクションである。このセクションは不整合の場所を含む。これらの例示的な例では、操作１５０２で作成されたモデルを使用して、テンプレート３６２を作成することができる。
【０１２９】
プロセスにおいて、不整合の形状に関する情報から不整合の寸法を識別する（操作１５０４）。寸法は、不整合の形状に関する情報を提供するユーザ入力から識別可能である。この情報は、ユーザによって入力される寸法、写真、図面または他の適切な情報の形を取ることができる。例えば、不整合の写真は、不整合の寸法を識別するために処理可能である。
【０１３０】
プロセスではその後、その場所にある層から未処理の層を選択する（操作１５０６）。処理ではその後、ポリシを使用して除去される層の一部を選択する（操作１５０８）。このポリシは、その部分が包含する領域、および、領域の範囲を定める周囲の形状または構成を識別するための規則を含む。
【０１３１】
場合によっては、選択された除去される層の一部は、層のいずれの部分の除去も含まない場合がある。例えば、不整合が位置する場所に約７０の層があるとき、ポリシは、セクションを形成する層のすべてではなく、それらの層の一部の除去のみを要する場合がある。
【０１３２】
場所に関連付けられた構造体が選択された部分に影響を及ぼすかどうかに関する判定が行われる（操作１５１０）。１つまたは複数の構造体が、層から除去するために選択された部分に影響を及ぼす場所に存在する場合、プロセスでは、ポリシを使用して識別される各構造体に基づいてその部分を調整する（操作１５１２）。ポリシは、構造体の場所、形状および他の適切な情報に基づいて、層から除去するために選択される部分への調整についての規則を提供することができる。
【０１３３】
次に、プロセスでは層から選択された部分を除去する（操作１５１４）。プロセスではその後、除去された層を新しい構造体に追加する（操作１５１６）。このモデル内の新しい構造体は、セクションを形成するために除去される層の一部からなる構造体を表す。
【０１３４】
別の未処理の層が存在するかどうかに関して判定を行う（操作１５１８）。別の未処理の層が存在する場合、プロセスは操作１５０６に戻り、別の未処理の層を選択する。
【０１３５】
別の状況では、プロセスにおいて、除去された層に基づいてパッチを作成する（操作１５２０）。操作１５２０では、このパッチは、標準のまたは事前に定められたモデルを使用して作成可能である。場合によっては、操作１５２０は操作１５１６において形成された構造体に基づいてパッチを作成することを伴う場合がある。特定の実装形態によっては、操作１５２０におけるパッチの作成は、構造体と同じであるか、同じ一般的形状を有するさまざまなタイプの層を有することができる。その後プロセスは終了する。
【０１３６】
再び操作１５１０を参照すると、場所に関連付けられた構造体が選択された部分に影響を及ぼしていない場合、上記のようにプロセスは操作１５１４に進む。
【０１３７】
ここで図１６を参照すると、例示的実施形態による、テンプレートを作成するプロセスのフローチャートが例示されている。図１６に例示されたプロセスは、図１４の操作１４０８を実装することができる１つの方法の一例である。
【０１３８】
テンプレートのデータ構造を作成する（操作１６００）ことによってプロセスを開始する。特定の実装形態によっては、このデータ構造はさまざまな形を取ることができる。例えば、データ構造は、ポータブルドキュメントフォーマットファイル、コンピュータ支援設計アプリケーション用の軽いビューアのドキュメントフォーマット、コンピュータ支援設計アプリケーションファイル、または他の何らかの適切なタイプのデータ構造であってよい。
【０１３９】
プロセスでは、セクションがある場所のモデルをデータ構造に入れる（操作１６０２）。操作１６０２でデータ構造に入れられたモデルは、図５、８および１１のディスプレイで表示されたものと同様のモデルであってよい。
【０１４０】
このモデルはまた、不整合が存在する場所で作成されるべきセクションに結合されるべきパッチを含むことができる。さらに、このモデルは、セクションを形成するために除去された複合材料層の一部を含むことができる。モデルをデータ構造に入れる際に、特定のデータ構造において使用される場合には、モデルを再フォーマットすることができる。
【０１４１】
次に、プロセスにおいて、複合材料のレイアップのテーブルを作成する（操作１６０４）。このテーブルは、例えば、限定しないが、図６、９および１２に例示されたようなテーブルであってよい。
【０１４２】
セクションの二次元平面図を作成する（操作１６０６）。この二次元平面図は、図７、１０および１３において表示されたものと同様であってよい。セクションの二次元平面図をデータ構造に入れる（操作１６０８）。その後、セクションの断面側面図とパッチとを作成する（操作１６１０）。この断面側面図は、場所のモデルとパッチとを使用して作成可能である。セクションの断面側面図およびパッチは、その後データ構造に入れられて（操作１６１２）、その後プロセスは終了する。
【０１４３】
図示されているさまざまな実施形態におけるフローチャートおよびブロック図は、例示的実施形態における装置および方法の数通りの可能な実装形態の構造、機能、および操作を示している。この点に関して、これらのフローチャートまたはブロック図における各ブロックは、モジュール、セグメント、機能、および／または操作もしくはステップの一部を表すことができる。例えば、１つまたは複数のブロックは、プログラムコードとして、ハードウェアにおいて、またはプログラムコードとハードウェアの組合せとして実装可能である。ハードウェアにおいて実装されるとき、ハードウェアは、例えば、フローチャートまたはブロック図の１つもしくは複数の操作を行うように製造または構成された集積回路の形を取ることができる。
【０１４４】
例示的実施形態のいくつかの代替的実装形態では、ブロックに記載された１つまたは複数の機能は、図中に記載の順序を逸脱して現れることがある。例えば、場合によっては、連続して示されている２つのブロックがほぼ同時に実行されること、または時には伴う機能によってはブロックが逆順に実行されることもあり得る。また、フローチャートまたはブロック図に例示されているブロックに加えて他のブロックが追加されることもあり得る。
【０１４５】
例えば、いくつかの例示的な例では、操作１５１６および操作１５２０を、図１５のフローチャートから省くことができる。セクションのみがモデルにおいて所望される場合、これらの操作を省くことができる。別の例として、情報が作成される度に特定の情報をデータ構造に入れるのではなく、最終工程として情報のすべてをデータ構造に入れることができる。さらに、特定の実装形態によっては、さまざまな操作を行う際にマルチタスクまたは複数のコンピュータが存在する場合、一部の操作を並列処理することができる。
【０１４６】
ここで図１７を参照すると、例示的実施形態による、データ処理システムが例示されている。この例示的な例では、データ処理システム１７００は、プロセッサユニット１７０４、メモリ１７０６、永続記憶装置１７０８、通信ユニット１７１０、入出力（Ｉ／Ｏ）ユニット１７１２およびディスプレイ１７１４の間の通信を提供する通信ファブリック１７０２を含む。データ処理システム１７００は、コンピュータシステム３３６内のいくつかのコンピュータ３３８のうちの１つまたは複数のコンピュータを実装するために使用可能なデータ処理システムの一例である。
【０１４７】
プロセッサユニット１７０４は、メモリ１７０６にロード可能なソフトウェアのための命令を実行する働きをする。プロセッサユニット１７０４は、特定の実装形態によっては、いくつかのプロセッサ、マルチプロセッサコアまたは他の何らかのタイプのプロセッサであってよい。アイテムに関して本明細書で使用される場合、「いくつかの」は、１つまたは複数のアイテムを意味する。さらに、プロセッサユニット１７０４を、単一のチップ上でメインプロセッサが２次プロセッサと共に存在するいくつかの異種プロセッサシステムを使用して実装することができる。別の例示的な例として、プロセッサユニット１７０４は、同じタイプの複数のプロセッサを含む対称マルチプロセッサシステムであってよい。
【０１４８】
メモリ１７０６および永続記憶装置１７０８は、記憶デバイス１７１６の例である。記憶デバイスは、例えば、限定しないが、データ、関数形式のプログラムコードならびに／または一時的なベースおよび／もしくは永続的なベースの他の適切な情報といった情報を記憶できる任意の１つのハードウェアである。記憶デバイス１７１６は、これらの例では、コンピュータ可読記憶デバイスと呼ばれることもある。メモリ１７０６は、これらの例では、例えばランダムアクセスメモリ、他の任意の適切な揮発性または不揮発性記憶デバイスであってよい。永続記憶装置１７０８は、特定の実装によってはさまざまな形を取ってよい。
【０１４９】
例えば、永続記憶装置１７０８は、１つまたは複数のコンポーネントもしくはデバイスを含んでよい。例えば、永続記憶装置１７０８は、ハードドライブ、フラッシュメモリ、書換え可能光ディスク、書換え可能磁気テープ、または上記の何らかの組合せであってよい。また永続記憶装置１７０８によって使用される媒体は、取外し可能であってよい。例えば、永続記憶装置１７０８用に取外し可能ハードドライブが使用されてよい。
【０１５０】
これらの例では、通信ユニット１７１０は、他のデータ処理システムまたはデバイスとの通信を提供する。これらの例では、通信ユニット１７１０は、ネットワークインターフェイスカードである。通信ユニット１７１０は、物理通信リンクおよびワイヤレス通信リンクのいずれかまたは両方を使用することによって通信を提供することができる。
【０１５１】
入出力ユニット１７１２は、データ処理システム１７００に接続可能な他のデバイスを用いてデータの入出力を可能にする。例えば、入出力ユニット１７１２は、キーボード、マウスおよび／または他の何らかの適切な入力デバイスによってユーザ入力のための接続を提供することができる。さらに、入出力ユニット１７１２は、プリンタに出力を送信することができる。ディスプレイ１７１４は、ユーザに情報を表示するための機構を提供する。
【０１５２】
オペレーティングシステム、アプリケーションおよび／またはプログラムのための命令は、記憶デバイス１７１６に置かれてよく、この記憶デバイスは、通信ファブリック１７０２を通してプロセッサユニット１７０４と通信している。これらの例示的な例では、命令は、永続記憶装置１７０８において関数形式である。これらの命令は、プロセッサユニット１７０４によって実行するためにメモリ１７０６にロードされてよい。さまざまな実施形態のプロセスは、メモリ１７０６などのメモリに置くことが可能なコンピュータ実施命令を使用して、プロセッサユニット１７０４によって行うことができる。
【０１５３】
これらの命令は、プロセッサユニット１７０４内のプロセッサによって読み出しかつ実行できるプログラムコード、コンピュータ使用可能プログラムコードまたはコンピュータ可読プログラムコードと呼ばれる。さまざまな実施形態のプログラムコードは、メモリ１７０６や永続記憶装置１７０８など、さまざまな物理的なまたはコンピュータ可読記憶媒体で具現化することができる。
【０１５４】
プログラムコード１７１８は、コンピュータ可読媒体１７２０に関数形式で置かれる。このコンピュータ可読媒体１７２０は、選択的に取外し可能であり、プロセッサユニット１７０４によって実行するためにデータ処理システム１７００にロードされてもよいし、転送されてもよい。プログラムコード１７１８およびコンピュータ可読媒体１７２０は、これらの例では、コンピュータプログラム製品１７２２を形成する。一例では、コンピュータ可読媒体１７２０は、コンピュータ可読記憶媒体１７２４またはコンピュータ可読信号媒体１７２６であってよい。
【０１５５】
コンピュータ可読記憶媒体１７２４は、例えば、光学または磁気ディスクを含んでよい。この光学または磁気ディスクは、永続記憶装置１７０８の一部であるハードドライブなどの記憶デバイスに転送するために、永続記憶装置１７０８の一部であるドライブもしくは他のデバイス内に挿入される、または置かれる。コンピュータ可読記憶媒体１７２４は、データ処理システム１７００に接続されるハードドライブ、サムドライブまたはフラッシュメモリなどの永続記憶装置の形を取ることもできる。場合によっては、コンピュータ可読記憶媒体１７２４は、データ処理システム１７００から取外し可能でないことがある。
【０１５６】
これらの例では、コンピュータ可読記憶媒体１７２４は、プログラムコード１７１８を伝播または送信する媒体ではなく、プログラムコード１７１８を記憶するために使用される物理的なまたは有形の記憶デバイスである。コンピュータ可読記憶媒体１７２４は、コンピュータ可読有形記憶デバイスまたはコンピュータ可読物理記憶デバイスとも呼ばれる。換言すると、コンピュータ可読記憶媒体１７２４は、人が接触できる媒体である。
【０１５７】
あるいは、プログラムコード１７１８は、コンピュータ可読信号媒体１７２６を使用してデータ処理システム１７００に転送することができる。コンピュータ可読信号媒体１７２６は、例えば、プログラムコード１７１８を含有する伝播されたデータ信号であってよい。例えば、コンピュータ可読信号媒体１７２６は、電磁気信号、光信号および／または他の任意の適切なタイプの信号であってよい。これらの信号を、ワイヤレス通信リンク、光ファイバケーブル、同軸ケーブル、ワイヤおよび／または他の任意の適切なタイプの通信リンクといった、通信リンクを介して送信することができる。換言すると、例示的な例では、通信リンクおよび／またはその接続は、物理的であってもよいし、ワイヤレスであってもよい。
【０１５８】
一部の例示的実施形態では、プログラムコード１７１８は、データ処理システム１７００内で使用するために、コンピュータ可読信号媒体１７２６によって別のデバイスまたはデータ処理システムから永続記憶装置１７０８にネットワークを介してダウンロード可能である。例えば、サーバデータ処理システム内のコンピュータ可読記憶媒体に記憶されたプログラムコードを、ネットワークを介してサーバからデータ処理システム１７００にダウンロードすることができる。プログラムコード１７１８を提供するデータ処理システムは、プログラムコード１７１８を記憶かつ送信できるサーバコンピュータ、クライアントコンピュータまたは他の何らかのデバイスであってよい。
【０１５９】
データ処理システム１７００について例示されたさまざまなコンポーネントは、さまざまな実施形態が実装され得る方法にアーキテクチャ上の制限を設けるためのものではない。さまざまな例示的実施形態は、データ処理システム１７００について例示されたものに加えた、またはその代わりのコンポーネントを含むデータ処理システムで実装されてよい。図１７に示された他のコンポーネントは、示された例示的な例から可変のものとすることができる。さまざまな実施形態は、プログラムコードを実行できる任意のハードウェアデバイスまたはシステムを使用して実装されてよい。一例として、データ処理システムは、無機的なコンポーネントと統合された有機的なコンポーネントを含んでもよいし、および／または人間を除く有機的なコンポーネントで完全に構成されてもよい。例えば、記憶デバイスを、有機半導体で構成することができる。
【０１６０】
別の例示的な例では、プロセッサユニット１７０４は、特定の使用のために製造または構成される回路を有するハードウェアユニットの形を取ることができる。このタイプのハードウェアは、操作を行うように構成される記憶デバイスからプログラムコードをメモリにロードする必要なく操作を行うことができる。
【０１６１】
例えば、プロセッサユニット１７０４がハードウェアユニットの形を取る場合、プロセッサユニット１７０４は、回路システム、特定用途向け集積回路（ＡＳＩＣ）、プログラマブル論理デバイス、またはいくつかの操作を行うように構成された他の何らかの適切なタイプのハードウェアであってよい。プログラマブル論理デバイスでは、デバイスは、いくつかの操作を行うように構成される。デバイスは、後に再構成されてもよいし、いくつかの操作を行うように永続的に構成されてもよい。プログラマブル論理デバイスの例には、例えば、プログラマブル論理アレイ、プログラマブルアレイ論理、フィールドプログラマブル論理アレイ、フィールドプログラマブルゲートアレイ、および／または他の適切なハードウェアデバイスが含まれる。このタイプの実装形態では、さまざまな実施形態のプロセスがハードウェアユニットで実装されるので、プログラムコード１７１８を省くことができる。
【０１６２】
さらに別の例示的な例では、プロセッサユニット１７０４は、コンピュータおよびハードウェアユニットに見られるプロセッサの組合せを使用して実装されてよい。プロセッサユニット１７０４は、プログラムコード１７１８を実行するように構成された、いくつかのハードウェアユニットおよびいくつかのプロセッサを有することができる。この図示された例では、プロセスの一部は、いくつかのハードウェアユニットで実装されてよく、他のプロセスは、いくつかのプロセッサで実装されてよい。
【０１６３】
別の例では、バスシステムは、通信ファブリック１７０２を実装するために使用可能であり、またシステムバスや入出力バスなど、１つまたは複数のバスで構成可能である。もちろん、バスシステムに取り付けられたさまざまなコンポーネントまたはデバイスの間のデータ転送に提供する任意の適切なタイプのアーキテクチャを使用して、バスシステムを実装することができる。
【０１６４】
さらに、通信ユニットは、データを送信し、データを受信し、またはデータを送受信するいくつかのデバイスを含むことができる。通信ユニットは、例えば、モデムもしくはネットワークアダプタ、２つのネットワークアダプタ、またはこれらの何らかの組合せであってよい。さらに、メモリは、例えば、通信ファブリック１７０２内に存在し得るインターフェイスおよびメモリコントローラハブ内で見られるような、メモリ１７０６またはキャッシュであってよい。
【０１６５】
よって、さまざまな例示的実施形態は、不整合を処理するための方法および装置を提供する。例示的実施形態では、不整合の形状は複合材料層がある場所で識別される。複合材料層のレイアップに関する情報は、不整合の形状と不整合の場所とに基づいて識別される。補修のためのポリシにおける不整合の形状に基づき、セクションを形成するために除去された複合材料層にあるいくつかの層の一部を用いて、場所のモデルが作成される。
【０１６６】
さまざまな例示的実施形態では、セクションのモデル、およびセクションが存在する場所にある複合材料層のレイアップに関する情報が生成可能である。ユーザが種々の場所における情報を探索する必要なく、この情報を作成することができる。さらに、セクションの作成は補修のポリシに基づく。ポリシでは、セクションは、不整合を包含するために選択され得るある標準の形状ではなく、不規則な形状であってよい。
【０１６７】
例示的実施形態におけるこれらの特徴および他の特徴によって、少ない時間および費用で不整合を処理することができる。材料のレイアップを識別することと、不整合の形状と不整合の補修を行うためのポリシとに合わせたセクションを作成することとを行うことで、時間を節約することができる。
【０１６８】
さまざまな例示的実施形態についての説明は、例示および説明の目的で提示されており、排他的なものでも、開示された形に実施形態を制限するためのものでもない。選択された１つまたは複数の実施形態は、実施形態の原理、実用的な適用例について最もよく説明するために選ばれかつ述べられており、当業者が、企図された特定の使用に適するような種々の修正を伴う種々の実施形態について本開示を理解することを可能にする。
【図１】
0005968430.tif 000002
【図２】
0005968430.tif 000003
【図３】
0005968430.tif 000004
【図４】
0005968430.tif 000005
【図５】
0005968430.tif 000006
【図６】
0005968430.tif 000007
【図７】
0005968430.tif 000008
【図８】
0005968430.tif 000009
【図９】
0005968430.tif 000010
【図１０】
0005968430.tif 000011
【図１１】
0005968430.tif 000012
【図１２】
0005968430.tif 000013
【図１３】
0005968430.tif 000014
【図１４】
0005968430.tif 000015
【図１５】
0005968430.tif 000016
【図１６】
0005968430.tif 000017
【図１７】
0005968430.tif 000018